(57)【要約】      （修正有）【課題】被検体のサイズによらず被検体に密着させることができ、高画質なＭＲＩ画像を得ることができる高周波コイル装置を提供する。【解決手段】高周波コイルユニットは、可撓性を有するコイルユニット４１０Ａ，Ｂを少なくとも１つ備え、コイルユニットの外周を囲むように固定具５００を配置する。固定具は、例えばコイルユニットの両側に配置された一対のパネル５１０と、パネル間に設けられ、パネルを締め付け固定する固定ベルト５２０とを備える。コイルユニットは固定具を締めることによる変形し、これにより様々な頭部形状に密着配置される。【選択図】図３
2020130221.tif 000002
【特許請求の範囲】
【請求項１】
磁気共鳴撮像装置用の高周波コイル装置であって、可撓性を有するコイルユニットと、検査対象に対し、前記コイルユニットの外側に配置された固定具とを備え、前記固定具は、前記検査対象に装着された前記コイルユニットを、前記検査対象に密着させる締め具を備えることを特徴とする高周波コイル装置。
【請求項２】
請求項１に記載の高周波コイル装置であって、
前記コイルユニットは、複数のループコイル部を有し、ループコイル部間の距離が可変であることを特徴とする高周波コイル装置。
【請求項３】
請求項１に記載の高周波コイル装置であって、
前記固定具は、前記検査対象の両側に配置され、互いの間隔が調整可能な一対のパネルと、前記締め具として、前記一対のパネルを締める固定ベルトとを備えることを特徴とする高周波コイル装置。
【請求項４】
請求項１に記載の高周波コイル装置であって、
前記コイルユニットを支持し、前記検査対象の両側とは異なる位置で前記コイルユニットを前記検査対象に固定する支持部をさらに備えることを特徴とする高周波コイル装置。
【請求項５】
請求項４に記載の高周波コイル装置であって、
前記支持部は、前記コイルユニットを検査位置と退避位置との間で移動する機構を備えることを特徴とする高周波コイル装置。
【請求項６】
請求項１に記載の高周波コイル装置であって、
前記コイルユニットを複数備え、前記固定具は、複数の前記コイルユニット間距離を変化させて、検査対象に密着させることを特徴とする高周波コイル装置。
【請求項７】
請求項６に記載の高周波コイル装置であって、
前記コイルユニットは、前記検査対象の前頭部側を覆う第一のコイルユニットと、前記検査対象の後頭部側を覆う第二のコイルユニットとを備え、頭部用コイルであることを特徴とする高周波コイル装置。
【請求項８】
請求項７に記載の高周波コイル装置であって、
前記第一のコイルユニットは、前記被検体の視界用の窓部を備えることを特徴とする高周波コイル装置。
【請求項９】
請求項７に記載の高周波コイル装置であって、
前記第一のコイルユニット及び前記固定具の少なくとも一方に、検査対象に対し音を遮断する遮音部材を備えることを特徴とする高周波コイル装置。
【請求項１０】
請求項１に記載の高周波コイル装置であって、
前記コイルユニットは、前記検査対象の前頭部側を覆う第一のコイルユニットと、前記検査対象の後頭部側を覆う第二のコイルユニットとを備え、
前記第一のコイルユニットを支持し、前記検査対象の両側とは異なる前記検査対象の位置で前記コイルユニットを固定する支持部をさらに備え、前記支持部は、前記第一のコイルユニットを第一の検査位置と、前記第一の検査位置とは異なる第二の検査位置との間で移動させる機構を有することを特徴とする高周波コイル装置。
【請求項１１】
請求項１に記載の高周波コイル装置であって、
前記コイルユニットは、複数のサブコイルを備えたアレイコイルであって、各サブコイルは、それぞれ、ループコイル部と、前記ループコイル部のインダクタ成分に対して直列に挿入され、当該ループコイル部を並列共振回路とする並列キャパシタと、前記並列キャパシタと並列に接続され、伝送ケーブルが接続される低インピーダンス信号処理回路とを有し、
前記並列キャパシタの容量は、前記並列共振回路の共振周波数におけるインピーダンスが、前記伝送ケーブルの特性インピーダンスと同等となる容量以下に調整されていることを特徴とする高周波コイル装置。
【請求項１２】
請求項１に記載の高周波コイル装置であって、ヒトの頭部を覆う形状を有し、
前記コイルユニットは、複数のサブコイルを備えたアレイコイルであって、各サブコイルは、それぞれ、ループコイル部と、伝送ケーブルが接続されるインピーダンス信号処理回路を含む回路基板部と、を有し、
前記回路基板部は、前記頭部の頭頂部側に集約して配置されていることを特徴とする高周波コイル装置。
【請求項１３】
請求項１に記載の高周波コイル装置であって、
前記コイルユニットは、前記磁気共鳴撮像装置の核磁気共鳴信号を受信する受信コイル、又は、前記磁気共鳴撮像装置の高周波磁場印加用の送信コイルであることを特徴とする高周波コイル装置。
【請求項１４】
静磁場を発生する磁石と、前記磁石が形成する静磁場空間に傾斜磁場を発生する傾斜磁場コイルと、前記静磁場空間に置かれた被検体に高周波磁場を印加する送信コイルと、前記被検体から発生する核磁気共鳴信号を受信する受信コイルと、を備え、
前記送信コイル及び前記受信コイルの少なくとも一方が請求項１に記載の高周波コイル装置であることを特徴とする磁気共鳴撮像装置。
【請求項１５】
請求項１４に記載の磁気共鳴撮像装置であって、
前記高周波コイル装置は、前記コイルユニットに含まれるループコイル部のループ面が前記静磁場の方向に対し、平行となるように配置されていることを特徴とする磁気共鳴撮像装置。
【発明の詳細な説明】
【技術分野】
【０００１】
本発明は、磁気共鳴撮像（ＭＲＩ：Ｍａｇｎｅｔｉｃ  Ｒｅｓｏｎａｎｃｅ  Ｉｍａｇｉｎｇ）装置に関わり、特に高周波磁場の照射や、核磁気共鳴信号を検出するＲＦコイル（Ｒａｄｉｏ  Ｆｒｅｑｕｅｎｃｙ  Ｃｏｉｌ：高周波コイル）に関する。
【背景技術】
【０００２】
ＭＲＩ装置は、検査対象の任意の領域内の核スピンに核磁気共鳴を起こさせ、発生する核磁気共鳴信号からその領域の画像を得る医用画像診断装置である。
【０００３】
ＭＲＩ撮像では、静磁場中におかれた被検体に傾斜磁場を印加しながら高周波コイルにより高周波磁場を照射する。高周波磁場の照射により被検体内の核スピン、例えば、水素原子の核スピンが励起され、励起された核スピンが平衡状態に戻るときに核磁気共鳴信号として円偏波磁場が発生する。この信号を高周波コイルで検出し、信号処理を施して生体内の水素原子核分布を画像化する。
【０００４】
高周波コイルは、例えば、核磁気共鳴信号を検出する受信コイルの場合、一般的に被検体の近傍に配置できる表面コイルが使われる。それは、高周波コイルと被検体との距離が小さいほど信号取得効率が高く、ＭＲＩ画像の高画質化が可能となるからである。通常、表面コイルは、頭部、胸部、四肢など撮像対象の形状に合わせた用途別の受信コイルが用いられる。一般的に製品化されている頭部向けの受信コイルは、耐久性を重視してサイズが固定のコイル筐体を有する。被検体毎に異なるサイズや撮像時の体位の変化に対応するために、サイズを変化可能な機構を備えた頭部向けの受信コイルも提案されている（例えば、特許文献１参照）。
【先行技術文献】
【特許文献】
【０００５】
【特許文献１】特開２０１５−００００９８号公報
【発明の概要】
【発明が解決しようとする課題】
【０００６】
サイズが固定の一般的な頭部向けの受信コイルは、人口カバー率を上げるために大きな被検体に合わせたサイズで設計される。そのため、多くの被検体にとってはコイルと被検体の距離が大きくなり信号取得効率が低下してしまうという課題がある。また、体動によるＭＲＩ画像の画質低下を防止するために、コイル筐体と被検体の間の空間にスポンジを詰める固定作業が行われる。この作業では、技師が頭部の大きさに応じてスポンジの数や形を変更することで十分な固定が得られるようにしている。しかし、スポンジを詰める作業は、コイル筐体と被検体との間の狭い空間に対し行う必要があるため、作業に時間がかかるという課題もある。
【０００７】
一方、特許文献１に記載されたコイル装置は、側臥位で寝かせられた被検体の頭部をヘッドレストに載せた状態で、ヘッドレストに載せた被検体頭部の上方に配置された第一のヘッドコイルを、ヘッドレスト上に配置された第二のヘッドコイルに対し、上下動させる手段を備えている。このコイル装置は二つのヘッドコイルの筐体間の距離を変化させることで被検体の大きさに合わせてコイルサイズを変化させることができる。
【０００８】
しかし、このコイル装置は、剛性のあるコイル筐体によって頭部を左右から挟む構造であるため、コイルサイズを大きくした場合に２つの筐体間に隙間が生じてしまい、その隙間の部分のコイル感度が低下し、ＭＲＩ画像の画質が低下するという課題がある。また、頭部の左右から挟むだけでは、被検体がうなずく方向に対しては体動を十分抑制することができないという課題がある。
【０００９】
本発明は、上記事情に鑑みてなされたもので、被検体のサイズによらず被検体に密着させることができる高周波コイル装置を提供すること、及びこの高周波コイル装置を用いることによって高画質なＭＲＩ画像を提供することを目的とする。
【課題を解決するための手段】
【００１０】
本発明は、可撓性を有するコイルユニットを少なくとも１つ備える。コイルユニットの外周を囲むように固定具を配置する。固定具は、例えばコイルユニットの両側に配置された一対のパネルと、パネル間に設けられ、パネルを締め付け固定する固定ベルトとを備える。コイルユニットは固定具を締めることによる変形によって様々な頭部形状に密着配置が可能である。
【００１１】
即ち、本発明の高周波コイル装置は、ＭＲＩ装置用の高周波コイル装置であって、可撓性を有するコイルユニットと、検査対象に対し、前記コイルユニットの外側に配置された固定具とを備え、前記固定具は、前記検査対象に装着された前記コイルユニットを、前記検査対象に密着させる締め具を備えることを特徴とする。
また本発明のＭＲＩ装置は、送信コイルまたは受信コイルとして、本発明の高周波コイル装置を備えたものである。
【発明の効果】
【００１２】
本発明によれば、表面コイルを被検体に密着させる固定作業を短縮することができる。被検体のサイズによらず表面コイルを被検体に密着することができ、高画質なＭＲＩ画像を提供することができる。
【図面の簡単な説明】
【００１３】
【図１】本発明が適用されるＭＲＩ装置の全体構成を示すブロック図。
【図２】ＭＲＩ装置におけるＲＦ送信コイルとＲＦ受信コイルとの関係を示す図。
【図３】高周波コイル装置の概要を示す図で、（ａ）は被検体の上から見た図、（ｂ）はＸＺ面を見た図。
【図４】ユニットコイルがアレイコイルである場合の例を示す図で、（ａ）はコイル本体部分を示す展開図、（ｂ）は筐体を含むコイル本体の断面を示す図。
【図５】第一実施形態の高周波コイル装置の斜視図。
【図６】（ａ）は第一実施形態の高周波コイル装置を頭部用コイルに適用した場合のコイル本体の配置例を示す図、（ｂ）は頭部用コイルを側面から見た図。
【図７】第一実施形態の高周波コイル装置の装着例を示す図で、（ａ）は比較的サイズの大きい検査対象に密着させた図、（ｂ）は比較的サイズの小さい検査対象に密着させた図。
【図８】第一実施形態の高周波コイル装置の位置を示す図で、（ａ）は頭部検査時の位置、（ｂ）は退避位置、（ｃ）は顔面側への配置、を示す。
【図９】（ａ）第一実施形態の高周波コイル装置のサブコイルの回路図、（ｂ）及び（ｃ）は、それぞれサブコイルに挿入された送受間磁気結合防止回路の例を示す図。
【図１０】第一実施形態の高周波コイル装置の変形例１を示す斜視図。
【図１１】（ａ）、（ｂ）は、それぞれ、第一実施形態の高周波コイル装置の変形例２を示す図。
【図１２】（ａ）第二実施形態の高周波コイルのサブコイルの回路図、（ｂ）サコイルに挿入された送受間磁気結合防止回路の例を示す図。
【発明を実施するための形態】
【００１４】
最初に、本発明の高周波コイルを適用するＭＲＩ装置の実施形態を説明する。
図１は、ＭＲＩ装置１０の概略構成を示すブロック図である。本図に示すように、ＭＲＩ装置１０は、主な構成として、静磁場を発生するマグネット１１０、静磁場に磁場勾配を与える傾斜磁場コイル１２０、静磁場の均一度を調整するためのシムコイル１２５、高周波磁場を発生するＲＦ送信コイル１３０、核磁気共鳴信号を受信するＲＦ受信コイル１４０と、シーケンサ１５０と、画像再構成等の計算やＭＲＩ装置の各部の制御を行う計算機（ＰＣ）１６０と、画像やＧＵＩなどを表示する表示装置１７０と、を備える。
【００１５】
マグネット１１０には、発生する静磁場の方向によって、水平磁場方式や垂直磁場方式があり、本発明はいずれの方式にも適用可能であるが、以下、水平磁場方式を例に説明を進める。図中、静磁場方向はＺ方向として示す（以下、同様）。検査対象（一般にはヒト：以下、被検体ともいう）２０は、テーブル１９０に載せられた状態で、マグネット１１０が生成する静磁場空間に配置される。
【００１６】
傾斜磁場コイル１２０は、傾斜磁場電源１２１に接続され、傾斜磁場を発生させる。シムコイル１２５は、シム電源１２６に接続され、磁場の均一度を調整する。ＲＦ送信コイル１３０は、高周波磁場発生器１３１に接続され、検査対象２０に高周波磁場を照射（送信）する。ＲＦ受信コイル１４０は、受信器１４１に接続され、検査対象２０からの核磁気共鳴信号を受信する。またＲＦ送信コイル１３０およびＲＦ受信コイル１４０には、互いの磁気結合を防止するための磁気結合防止回路（不図示）が接続されており、磁気結合防止回路は、磁気結合防止回路駆動装置１８０により駆動される。
【００１７】
シーケンサ１５０は、計算機（ＰＣ）１６０からの指示に従って傾斜磁場電源１２１、高周波磁場発生器１３１、磁気結合防止回路駆動装置１８０に命令を送り、それぞれ動作させるとともに、受信器１４１で検波の基準とする磁気共鳴周波数をセットする。
【００１８】
計算機（ＰＣ）１６０は、ＭＲＩ装置１０全体の動作の制御、各種の信号処理を行う。例えば、シーケンサ１５０からの命令に従って、高周波磁場が、ＲＦ送信コイル１３０を通じて検査対象２０に照射される。高周波磁場を照射することにより検査対象２０から発生する核磁気共鳴信号は、ＲＦ受信コイル１４０によって検出され、受信器１４１で検波が行われる。受信器１４１で検波された信号をＡ／Ｄ変換回路を介して受信し、画像再構成などの信号処理を行う。その結果は、表示装置１７０に表示される。
【００１９】
次にＲＦ送信コイル１３０とＲＦ受信コイル１４０の配置について、図２を参照して説明する。図２では、ＲＦ送信コイル１３０には一般的な鳥かご型ＲＦコイル（全身コイル）を用い、ＲＦ受信コイル１４０に表面コイルを並べたアレイコイルを用いた例を示している。なお図では、アレイコイルを構成する表面コイル（サブコイルという）を２つだけ示しているが、サブコイルの数は任意である。
【００２０】
ＲＦ送信コイル１３０として用いる鳥かご型ＲＦコイルは、円筒状の水平磁場方式のマグネット１１０に内側（検査空間側）に配置され、２つのリング状の導体を複数の線状導体で連結した形状を有し、リング状導体と線状導体と一方或いは両方にキャパシタの調整素子（不図示）が挿入され、共振周波数が励起対象元素の共鳴周波数に調整されている。また導体の少なくとも一箇所に磁気結合防止回路１３５が直列に挿入されている。磁気結合防止回路１３５は、例えば、ＰＩＮダイオードなどを備え、磁気結合防止回路駆動装置１８０からの制御信号（直流電流）によってＰＩＮダイオードのオン／オフを制御する。すなわち、高周波信号送信時には、ＰＩＮダイオードを導通状態とする制御電流を流し、鳥かご型ＲＦコイルをＲＦ送信コイル１３０として機能させる。また、核磁気共鳴信号受信時には、制御電流を停止し、鳥かご型ＲＦコイルを高インピーダンス化し、開放状態とする。
【００２１】
アレイコイル（受信ＲＦコイル１４０）は、各サブコイルが検査対象２０にできるだけ近接するように配置されるもので、検査対象２０に対し装着、取り外しできる構造を有している。
【００２２】
各サブコイルには、コイルを構成する導体にキャパシタ等の調整素子が挿入されており、その共振周波数は、鳥かご型ＲＦコイル１３０が励起可能な元素の核磁気共鳴信号を検出可能な共振周波数となるように調整される。また各サブコイルには、ＲＦ送信コイル１３０と同様に、磁気結合防止回路１４５が接続されている。磁気結合防止回路１４５は、例えば、核磁気共鳴信号の周波数で高インピーダンスとなる並列共振回路を含み、高周波信号送信時には磁気結合防止回路駆動装置１８０からの直流電流（制御電流）により磁気結合防止回路１４５を駆動することにより、磁気結合防止回路１４５に含まれる並列共振回路が高いインピーダンスとなって、ＲＦ送信コイル１３０との磁気結合を除去する。
【００２３】
図２は、ＲＦ受信コイル１４０としてアレイコイルを用いる例であるが、ＲＦ送信コイル１３０として、このようなアレイコイルを用いることも可能である。
【００２４】
本実施形態のＭＲＩ装置は、ＲＦ送信コイル１３０またはＲＦ受信コイル１４０として、検査対象への装着性を向上した高周波コイル装置を用いるものであり、以下、高周波コイル装置の実施形態を説明する。以下の実施形態では、頭部コイルに適用した実施形態を説明するが、本発明の高周波コイル装置は頭部コイルに限定されるものではない。
【００２５】
まず後述する各実施形態に共通する高周波コイル装置１の概要を、図３を参照して、説明する。
【００２６】
高周波コイル装置４０は、図３（ａ）、（ｂ）に示すように、１ないし複数のコイルユニットからなるコイル本体４００と、コイル本体４００を検査対象（被検体）２０に対し固定するための固定具５００とを備える。
【００２７】
コイル本体４００は、図３に示す例では、２つのコイルユニット４１０Ａ、４１０Ｂからなる。なお、２つのコイルユニットを区別しない場合には、符号４１０と記す。各コイルユニット４１０は、図４（ａ）に示すように、１ないし複数（図では複数）のループコイル部４１１と、ループコイル部４１１と外部ケーブル（不図示）とを連結する回路部（回路基板）４１３とを有しており、少なくともループコイル部４１１は、図４（ｂ）に示すように、可撓性のある筐体４８０で覆われている。筐体４８０は、スポンジ、エラストマーや網又は繊維などの可撓性のある材料からなり、形状を任意に変更可能である。例えば図４（ｂ）では直線状の断面を示しているが、被検体の表面に沿って曲線状に変形させることができる。
【００２８】
筐体４８０の変形に伴い、２つのコイルユニット４１０（のループコイル部）間の距離やオーバーラップ度も変化する。またループコイル部４１１が複数ある場合には、ループコイル部４１１の距離やオーバーラップ度も変化する。コイルユニット４１０は、このようなループコイル部間の位置変化があっても互いの磁気結合が最小となるように調整されている。コイルの調整の詳細については後述する。
【００２９】
各コイルユニット４１０におけるループコイル部４１１の配置は、ＭＲＩ装置の静磁場方向（図中、Ｚ方向）と直交する方向の磁場（回転磁場）を検出するために、ループ面がＸ−Ｙ面に対し角度を持つように配置される。最も好適には、ループ面がＺ方向とほぼ平行となるように配置される。
【００３０】
固定具５００は、被検体２０に対し、コイル本体４００より外側に配置され、被検体の左右と上方の三方からコイル本体４００を被検体２０に密着させる構造を持つ。さらに頭頂部側からも密着させる構成をとることも可能である。
【００３１】
このように本実施形態の高周波コイル装置は、コイル本体４００が可撓性を持ち、且つその外側に被検体に対しコイル本体４００を密着させる構造（固定具５００）を備えることにより、作業性よく被検体に装着することができ、またコイル本体と被検体とを確実に密着させることができるため、送信コイルとして用いた場合にも受信コイルとして用いた場合にも、ＭＲ画像の画質を向上することができる。
【００３２】
次に、高周波コイル装置の詳細な実施形態を説明する。
【００３３】
＜第一実施形態＞
本実施形態の高周波コイル装置４０は、可撓性のあるコイル本体４００と、それを被検体２に密着させる固定具５００とを備える。コイル本体４００は２つのコイルユニットを備え、各コイルユニットは複数のサブコイルで構成されるアレイコイルである。固定具５００は、一対のパネル５１０と、一対のパネルを締結する固定ベルト５２０（締め具）とを備え、さらにコイル本体を支持する支持部５３０を備える。
【００３４】
コイルユニット（アレイコイル）を構成するサブコイルは、核磁気共鳴信号の周波数で並列共振するように調整され、且つコイル本体の変形によるサブコイル間の距離の変動に対しても、サブコイル同士の磁気結合が防止されるように調整されている。
【００３５】
［構造の特徴］
以下、図５〜図８を参照して本実施形態の高周波コイル装置の構造を詳述する。
コイル本体４００は、図５に示すように、被検体の前頭部から側頭部の少なくとも一部を覆うようにループコイル部が配置されたアレイコイルを含むコイルユニット４１０Ａと、後頭部から側頭部の少なくとも一部を覆うようにループコイル部が配置されたアレイコイルを含むコイルユニット４１０Ｂと、を有する。コイルユニット４１０Ａは支持部５３０に固定され、コイルユニット４１０Ｂは固定具５００側に固定されている。
【００３６】
各コイルユニット４１０は、スポンジや樹脂等の可撓性のある部材からなる筐体（図４（ｂ））４８０に組み込まれており、外力を加えなければ外形を保持し、外力を加えると変形可能である性質を有する。これにより後述する固定具５００（パネル５１０）でコイル本体４００を被検体２０側に寄せたときに、変形して被検体２０に密着させることができる。
【００３７】
さらに筐体４８０には被検体の装着感を良くするための付属部が備えられていてもよい。このような付属部として、図５に示す例では、被検体の視界を確保するための視界窓４８１や、被検体の首を保護するための保護シート４８３などが設けられている。
【００３８】
コイルユニット４１０（アレイコイル）は、図４に示したように、ループコイル部４１１と、ループコイル部４１１を外部のケーブルに接続するための低インピーダンス回路４３０等を含む給電基板部４１３とを備えたサブコイル４２０を複数配列したものである。各ループコイル部４１１には、送受間磁気結合防止回路１４５とキャパシタ等の調整用の回路素子が挿入されている。サブコイル４２０の電気的特性と調整用の回路素子による調整については後に詳述する。
【００３９】
高周波コイル装置が、頭部用のコイルの場合、コイルユニット４１０内のサブコイルの給電基板部４１３は、図６（ａ）に示すように、頭頂側に集約されていてもよい。これにより、固定具５００によるコイル装着時に、給電基板部４１３と固定パネル５１０とが物理的に衝突することを抑制できる。
【００４０】
固定具５００は、一対のパネル５１０と、固定ベルト５２０と、パネル５１０及び支持部５３０を固定する台座５５０とを備えている。固定ベルト５２０は、一対のパネル５１０の上端に近い位置に固定され、面ファスナ、バックル等の締結手段によって締めることができる。台座５５０には、その面と平行となるように軸５４０が固定され、パネル５１０は、軸５４０対し回動可能に固定されている。またパネル５１０は、軸５４０をガイドとして、Ｚ方向に移動可能であってもよい。このような構成において、パネル５１０は軸５４０を中心に回動することで、一対のパネル５１０の上端の間隔を広げたり狭めたりすることが可能であり、固定ベルト５２０を締めることにより、パネル５１０と被検体２０との間にあるコイルユニット４１０を被検体２0に密着させることが可能である。パネル５１０が軸に沿って移動可能な場合には、パネル５１０のＺ方向の位置も調整可能となる。
【００４１】
支持部５３０は、図６（ｂ）に示すように、頭頂部側においてコイル本体４００（コイルユニット４１０Ａ）を被検体に密着させるための機構であり、図示する実施形態では、コイルユニット４１０Ａに固定された固定部５３１と、台座５５０に固定された固定部（不図示）と、これら固定部に対し屈曲自在に連結され、且つ互いに屈曲自在に連結された複数のアーム５３２〜５３４とを備える。図示する例では、固定部材５３１に固定されたアーム５３２はアーチ形状であり、コイル本体の装着位置の高い自由度を確保できるように構成されている。
支持部５３０は、アームを連結するヒンジ部の角度を変化させることで、コイルユニット４１０Ａの位置を、所定の可動範囲内で任意に変化させることができ、頭部に密着させることができる。
【００４２】
次に本実施形態の高周波コイル装置の機能を説明する。まず、固定具５００により様々な被検体サイズに対して密着配置ができる機能について図７を用いて説明する。
【００４３】
図７（ａ）は、比較的大きな被検体２０の頭部に対してコイル本体（アレイコイル）４００を配置した場合の断面図を示す。この断面は、頭部の眉間付近の体軸方向に垂直な断面である。図７（ａ）に示すように、固定ベルト５２０を締めることによりパネル５１０が顔に寄せられ、可撓性を有するコイルユニット４１０Ａおよび４１０Ｂが変形によって頭部形状に密着配置が可能である。これにより、信号取得効率が向上し画質が向上する。
【００４４】
図７（ｂ）に、小さな被検体２０の頭部に対してコイル本体（アレイコイル）４００を配置した場合の断面図を示す。この断面は、図７（ａ）同様に頭部の眉間付近の体軸方向に垂直な断面である。支持部５３０（図７では不図示）を操作し顔面側のコイルユニット４１０Ａと後頭部側のコイルユニット４１０Ｂの距離を小さくすることで小さな頭部形状にも密着配置が可能である。固定ベルト５２０を締めることにより固定パネル５１０が顔に寄せられ、可撓性を有するアレイコイルユニット４１０Ａおよび４１０Ｂが変形によって頭部形状に密着配置が可能である。これにより、信号取得効率が向上し画質が向上する。
【００４５】
このように、可撓性を有するコイルユニット４１０Ａおよび４１０Ｂが、被検体の頭部サイズによらず、隙間なく頭部を覆うことができるため、隙間によるコイル感度の低下を防止することができる。また固定具５００により体動を防止できる。具体的には、固定パネル５１０により被検体の首を横に振る回転や首をかしげる回転に対する体動を抑制することができる。また、固定ベルト５２０により被検体の額を抑えるため、頭部の左右から挟むだけの場合に比べて、被検体がうなずく方向に対する体動も抑制することができる。
【００４６】
次に支持部５３０の機能を説明する。図８にアーム５３２〜５３４によるコイルユニット４１０Ａの装着の様子を示す。図８では、アームの連結部を黒丸で示し、コイルユニット４１０Ａは黒く塗りつぶして示している。またアーム５３４と固定部材５３１は図示を省略している。
【００４７】
図８（ａ）は、被検体２００の脳を検査する場合の状態を示す図である。この状態では、支持部材５３０で支持されたコイルユニット４１０Ａを被検体２０の脳の前頭葉側を覆うように設置する。図８（ｂ）は、コイルユニット４１０Ａを被検体２０の頭頂側へ退避させた場合の状態を示す図である。この状態では、被検体２０が寝台に寝る際、または寝台から起き上がる際にコイルユニット４１０Ａが邪魔になることを防ぐことができる。図８（ｃ）は、被検体２０の口腔領域を検査する場合の状態を示す図である。
【００４８】
このような構成の高周波コイル装置４０を被検体に対し設置し、固定する作業は、次のように行われる。まず、図８（ｂ）に示すようにコイルユニット４１０Ａが退避している状態で、被検体を後頭部側のコイルユニット４１０Ｂの上に仰臥位で寝かせる。そこに、図８（ａ）に示すようにコイルユニット４１０Ａを設置する。固定ベルト５２０を締めて面ファスナなどで固定する。以上で、本実施形態のコイル本体４００の被検体に対する設置と固定作業が一通り完了する。これにより、これまで一般的に行われていたスポンジを詰める固定作業の時間を短縮できる。また、一般的にはコイル筐体と被検体との間の狭い空間で固定作業を行っていたのに対し、本実施形態ではコイルユニット４１０Ａの外側の広い空間を利用して固定ベルト５２０を操作できるため、技師の姿勢による身体的負担を軽減できる。
【００４９】
また図８に示す例では、コイルユニット４１０Ａは、被検体の装着感を良くするための付属部として、２つの位置（図８（ａ）、（ｃ））に対応した視界窓４８１、４８２が備えられている。即ち、視界窓４８１は、コイルユニット４００Ａのループコイル部から張り出した筐体部分に形成された、光透過性の部材からなる窓或いは開口であり、図８（ａ）に示す装着位置において、この視界窓４８１が被検体の目の前に位置する。また視界窓４８２は、２つのループコイル部の、それぞれ導体がない部分（ループで囲まれた部分）に形成される。視界窓４８１と同様の光透過性の部材からなる窓或いは開口であり、図８（ｃ）に示す装着位置において、この視界窓４８２が被検体の目の前に位置する。
これにより図８（ａ）の状態では、第一の視界窓４８１により、図８（ｃ）の状態では、第二の視界窓４８２により、被検体２０は視界が確保される。
【００５０】
なお支持部５３０には、アームの可動域を制限する制限手段を設けてもよい。例えば、例えば、退避時に支持部５３０のアームが頭頂側に寝台長を超えてはみ出さないようにヒンジにストッパを設けるなどして可動域が制限されていてもよい。これにより、寝台を上下動させた場合に支持部５３０がガントリに物理的に衝突することを抑制できる。制限手段を構成する機構は、特に限定されず、手動で作動するストッパを設けてもよいし、アームの連結部にアームの可動範囲を制限する機構を設けておいてもよい。
【００５１】
また、支持部５３０の構造として、剛性のアームとヒンジの組み合わせで構成されている場合を説明したが、支持部５３０はコイル本体４００を退避位置から装着位置に移動させる機構であればよく、これに限らない。例えば、ボールジョイントで構成されていてもよい。これにより、可動方向の自由度が増える。
【００５２】
本実施形態によれば、被検体に装着されるコイル本体４００に可撓性を持たせた構造とするとともに、コイル本体４００の外側の少なくとも三方からコイル本体４００を被検体に対し密着させる固定具５００（パネル５１０及び固定ベルト５２０）を設けたことにより、簡単な作業で被検体に対しコイル全体が近距離となるように配置し、且つ、被検体の体動を防止することができる。
【００５３】
また本実施形態によれば、固定具５００に加えて、可動域の広い支持部５３０を設けることにより、頭頂部側からもコイル本体４００を被検体に密着させることができる。また、支持部材５３０の可動域を、顔面側のコイルユニット４１０が後頭部側のコイルユニット４１０の頭頂側へ退避する位置から、顔面側のコイルユニット４１０の一部が被検体のあごに届く位置までとすることで、追加のアレイコイルを必要とすることなく、脳検査と顔面部分の検査を併せて行うことができる。さらに可動域に対応して、二つの視界窓４８１、視界窓４８２を備えることにより、顔面部分に対する開放性を与え、被検体が感じる圧迫感を低減することができる。
【００５４】
以上、本実施形態の高周波コイル装置４０の構造とその機械的な機能について説明したが、本発明の高周波コイル装置４０の構成は上記説明に限定されない。
【００５５】
例えば、コイル本体４００を構成するコイルユニットが２つの場合を示したが、コイルユニットの数は２つに限定されず、１つ或いは３以上であってもよい。但し、コイルユニットが２つの場合には、１つだけの場合に比べ、様々な被検体サイズに対しても密着配置が可能であり、またユニット数が多い場合に比べ、設置および固定作業の時間を短縮できるという効果がある。またコイルユニットが例えば３つ以上の場合には、異なるコイルユニット間の重なる可変量を低減しても広い被検体サイズをカバーできる。異なるコイルユニット間の重なる可変量を低減すると、サブコイル間の磁気結合を低減でき、ＭＲＩ画像の画質低下を防止できる。
【００５６】
また、本実施形態において、コイルユニット４１０は被検体２０の頭部に対して配置される例を示したが対象部位は頭部に限らない。コイルユニット４１０の形状を工夫することで、例えば、腹部や四肢を対象部位としても同様の効果が得られる。さらに、本実施形態では、２つのコイルユニット４１０を被検体の頭部に設置する例を示したが、これに限らない。例えば、コイルユニット４１０Ａを使用せず、コイルユニット４１０Ｂのみで撮像してもよい。これにより、簡便に後頭部領域のみの撮像や、新生児頭部などのさらに小さな検査対象も撮像できる。
【００５７】
［コイルユニットの調整］
次にこのように近接して配置されるコイルユニット４１０の電気的特性の調整について説明する。コイルユニット４１０を構成する個々のサブコイル４２０の構成は、共通しているので、一つのサブコイルを代表して説明する。
【００５８】
図９（ａ）は、本実施形態のコイルユニット（アレイコイル）４１０を構成する複数のサブコイルのうちひとつのサブコイル４２０の構成を説明するためのブロック図である。サブコイル４２０は、図４に示したように導体ループを有する表面コイルであり、それぞれが、核磁気共鳴信号を受信する。受信した信号は、ＭＲＩ装置の受信器（不図示）に送られる。
【００５９】
サブコイル４２０は、核磁気共鳴信号を受信するループコイル部４１１と、給電基板部４１３から構成される。給電基板部４１３は、低（入力）インピーダンス信号処理回路４３０と、ループコイル部４１１と低インピーダンス信号処理回路４３０とを接続する磁気結合調整部４２５と、を備える。磁気結合調整部４２５は、キャパシタもしくはインダクタの少なくとも一方から構成される。
【００６０】
ループコイル部４１１のループ４２１は、導体で形成される。そして、ループコイル部４１１は、ループ４２１のインダクタ成分に対して直列に挿入されるキャパシタ４２４を備える。このインダクタ成分とキャパシタ４２４とは、並列共振回路を構成する。このキャパシタ４２４を、他のキャパシタと区別するため、並列キャパシタ４２４と呼ぶ。
【００６１】
また、ループ４２１には、共振周波数を調整するキャパシタ４２２と、送受間磁気結合防止回路４５０（図２：１４５）とが直列に挿入される。このキャパシタ４２２を、他のキャパシタと区別するため、直列キャパシタ４２２と呼ぶ。なお、ここでは、直列キャパシタ４２２を２つ備える場合を例示するが、直列キャパシタ４２２の数は１以上であればよい。
【００６２】
このように、本実施形態のサブコイル４２０は、調整用の回路素子として、磁気結合調整部４２５と、ループ４２１のインダクタ成分に対して直列に挿入される直列キャパシタ４２２と、インダクタ成分に対して直列に挿入され、ループコイル部４１０を並列共振回路とする並列キャパシタ４２４と、を備える。
【００６３】
低インピーダンス信号処理回路４３０のループコイル部４１１側の一方の端子は、磁気結合調整部４２５を介してループコイル部４１１の並列キャパシタ４２４の一方の端に接続される。低インピーダンス信号処理回路４３０のループコイル部４１１側のもう一方の端子は、直接ループコイル部４１１の並列キャパシタ４２４の他方の端に接続される。低インピーダンス信号処理回路４３０のループコイル部４１１側でない他方の端子は、伝送ケーブルを介してＭＲＩ装置の受信器に接続される。
【００６４】
送受間磁気結合防止回路４５０は、送信コイルとの間の磁気結合を除去する。送受間磁気結合防止回路４５０の回路例を図９（ｂ）、（ｃ）に示す。図９（ｂ）に示す送受間磁気結合防止回路４５０は、直列に接続されたＰＩＮダイオード４５１とインダクタ４５２を備え、ループ４２１に挿入されたキャパシタ４２３に対し並列に接続されている。インダクタ４５２とキャパシタ４２３とは、受信する核磁気共鳴信号の周波数で並列共振するように調整される。
【００６５】
また、ＰＩＮダイオード４５１の両端には、ＭＲＩ装置側に備えられた磁気結合防止回路駆動装置１８０（図２）に接続された制御用信号線４５３が接続される。制御用信号線４５３には高周波の混入を避けるためチョークコイルが挿入されている（不図示）。
【００６６】
この送受間磁気結合防止回路４５０では、制御用信号線４５３からの信号により、並列共振回路を形成するＰＩＮダイオード４５１に電流が流れると、ＰＩＮダイオード４５１はオンになり、ループ４２１のキャパシタ４２３は、受信する核磁気共鳴信号の周波数でインダクタ４５２と共に並列共振して高インピーダンス状態（高抵抗）となる。従って、受信する核磁気共鳴信号の周波数で、ループコイル部４１１は、その一部が高インピーダンスとなり、開放状態となり、そのループコイル部４１１を有するサブコイル４２０も開放状態となる。
【００６７】
このように、ＰＩＮダイオード４５１に電流が流れてオンとなることによって、各サブコイルとＲＦ送信コイル１３０（図２）との磁気結合は除去される。従って、各サブコイル４２０をコイル素子とするアレイコイル（コイルユニット）４１０とＲＦ送信コイル１３０との磁気結合も除去される。
【００６８】
なお、サブコイル４２０に挿入される送受間磁気結合防止回路４５０の数は１つに限定されない。各ループ４２１に、二つ以上挿入されても良い。複数挿入することで磁気結合を十分に低下させることができる。
【００６９】
図９（ｃ）に示す送受信間磁気結合防止回路４５０ｍは、ＰＩＮダイオード４５１の代わりに、クロスダイオード４５１ｍを用いたものである。これにより、ループ４２１を構成する導体に大きな信号が流れた場合、クロスダイオード４５１ｍはオンになり、ループ４２１のキャパシタ４２３は、受信する核磁気共鳴信号の周波数でインダクタ４５２と共に並列共振して高インピーダンス状態となる。この場合、制御用信号線は不要である。
【００７０】
次に、上記構成において、各サブコイル４２０間の磁気結合を防止するための調整について説明する。
【００７１】
並列キャパシタ４２４の容量は、コイルユニット４１０Ａおよび４１０Ｂが検査対象の頭部に密着する配置において、低インピーダンス信号処理回路４３０から見たループコイル部４１１の並列共振回路の共振周波数におけるインピーダンスが、低インピーダンス信号処理回路４３０が接続される伝送ケーブルの特性インピーダンス（例えば５０Ω）と同等となるように調整する。並列キャパシタ４２４はインピーダンス変換を行う機能を果たす。ループコイル部４１１と被検体２０との距離が小さいほど、生体負荷が大きくなり、共振回路のインピーダンスを調整するために並列キャパシタ４２４の容量は小さくなる。
【００７２】
また、磁気結合調整部４２５（キャパシタ等）を調整し、磁気結合調整部４２５と並列キャパシタ４２４からなる共振回路が、低インピーダンス信号処理回路４３０から見たときに受信する核磁気共鳴信号の周波数で直列共振するようにする。この共振回路は、並列キャパシタ４２４の両端からみたときには並列共振回路となっている。この並列共振回路では、上述したように、低インピーダンス信号処理回路１３０の入力インピーダンスが低いため、共振周波数における並列キャパシタ４２４の両端のインピーダンスが大きくなる。従って、他のサブコイルから見たとき、当該サブコイルのループコイル部４１１の一部が高インピーダンスとなりサブコイル間の磁気結合が防止される。つまり、共振周波数における並列キャパシタ４２４の両端のインピーダンスが大きくなることで、磁気結合が防止されるので、このインピーダンスをここではブロックインピーダンスと呼ぶ。
【００７３】
具体的には、核磁気共鳴周波数に対する角周波数をω、並列キャパシタ４２４の容量をＣｍ、低インピーダンス信号処理回路４３０の入力インピーダンスをＺｉｎとすると、ブロックインピーダンスは次式で表される。
（数１）
Ｚｂｌｏｃｋ＝１／（ω２Ｃｍ２Ｚｉｎ）
【００７４】
ループコイル部４１１と被検体２０の距離が小さいほど、並列キャパシタ４２４の容量Ｃｍは小さくなるため、コイル本体と被検体との密着配置することによって、ブロックインピーダンスを向上することができる。これにより、サブコイル間の磁気結合防止機能を向上し、画質低下を防止することができる。
【００７５】
なお、以上説明した調整例では、コイルユニット４１０Ａおよび４１０Ｂが被検体の頭部に密着する配置において、低インピーダンス信号処理回路４３０から見たループコイル部４１１の並列共振回路の共振周波数におけるインピーダンスが、低インピーダンス信号処理回路４３０が接続される伝送ケーブルの特性インピーダンス（例えば５０Ω）と同等となるように、並列キャパシタ４２４の容量を調整したが、並列キャパシタ４２４の容量はそれより小さくてもよい。これにより、ブロックインピーダンスが向上できる。
【００７６】
以上、第一実施形態の高周波コイル装置の構造上の特徴と電気特性（特にコイルの形状・位置関係の変化に伴う磁気結合防止効果）について説明したが、図面で示す実施形態は単なる例示であり、種々の変更が可能である。以下、第一実施形態を基本とするいくつかの変形例を挙げて説明する。
【００７７】
＜変形例１＞
第一実施形態において、固定具５００は固定パネル５１０と固定ベルト５２０のみから構成されていたが、これに限らない。例えば、図１０に示すように、あごバンド５６０を追加してもよい。あごバンド５６０は、パネル５１０の外側に固定してもよいし、パネル５１０とあごバンド５６０にそれぞれ面ファスナを設け、あごバンドを着脱可能にする構成であってもよい。あごバンド５６０を設けることにより、被検体のうなずき方向の体動をさらに抑制することができる。
【００７８】
＜変形例２＞
第一実施形態のパネルにおいて、コイル本体４００及びパネル５１０の少なくとも一方に、音を抑制する機構（遮音部材）を追加してもよい。例えば、図１１（ａ）に示すように、コイルユニット４１０Ａの内側にイヤマフ機構６０を取り付ける。または、図１１（ｂ）に示すように、コイルユニット４１０Ａの、被検体２０の耳に当たる部分に穴が開いており、パネル５１０にイヤマフ機構６０を取り付ける。これにより、ＭＲＩ検査中に被検体が聞く騒音を低減できる。また、追加でイヤマフや耳栓などを取り付ける作業時間を短縮することができる。
【００７９】
以上、第一実施形態と変形例の高周波コイル装置を、水平磁場方式のＭＲＩ装置に適用する場合を説明したが、これら高周波コイル装置は垂直磁場方式のＭＲＩ装置にも適用することができる。
【００８０】
＜第二実施形態＞
第一実施形態は、本発明の高周波コイル装置をＭＲＩ装置の受信コイルとして用いる実施形態であったが、本実施形態では高周波コイル装置を送信コイルとして用いる。本実施形態においても、高周波コイル装置が、可撓性を有するコイル本体と固定具或いは固定具及び支持部を備えること、固定具／支持部によりコイル本体が変形したりユニットコイル間の距離が変わることによって、被検体に対し密着するように固定されるものであること、は第一実施形態と同様であり、固定具の変形例は本実施形態にも適用できる。
【００８１】
以下、第一実施形態と異なる点を説明する。図１２は、本実施形態の高周波コイル装置４０Ｂを送信コイルとして用いる場合の回路図である。図１２においても、コイルユニットを構成するサブコイルの一つを示すが、コイルユニットが複数のサブコイルからなるアレイコイルの場合には、図４に示したように、複数のサブコイルが配列しており、それぞれが図１２の回路構成を持つ。
【００８２】
送信コイルとして動作するアレイコイルの各サブコイル９２０は、図１２（ａ）に示すように、ループコイル部９１１と、低出力インピーダンス信号処理回路９３０とを有し、ループコイル部９１１と、低出力インピーダンス信号処理回路９３０との間に磁気結合調整部９２５を備える。またループコイル部９１１の導体ループ９２１には、直列キャパシタ９２２及び並列キャパシタ９２４が挿入されている。この構成は、基本的には第一の実施形態のサブコイル４２０（図９（ａ））と同様である。ただし、ループコイル部９１１が、磁気結合調整部９２５を介して接続されるのは、低入力インピーダンス信号処理回路４３０ではなく、低出力インピーダンス信号処理回路９３０である。低出力インピーダンス信号処理回路９３０としては、低出力インピーダンスのＲＦアンプ（低出力インピーダンス信号増幅器）などが用いられる。
【００８３】
また、サブコイル９２０は、受信コイルとの磁気結合を防止する送受信間磁気結合防止回路３５０（図２：１３５）を備える。送受信間磁気結合防止回路３５０は、受信コイルの送受信間磁気結合防止回路４５０と同様に、図９（ｂ）に示すものでもよいし、図１２（ｂ）に示すように、ループコイル部９１１の導体ループ９２１に直列に接続されたＰＩＮダイオード３５１でもよい。この場合、ＭＲＩ装置側の制御回路から駆動信号３５２によってＰＩＮダイオード３５１に電流が流れると、ループコイル部９１１が閉となり、伝送ケーブルを介して供給される高周波信号によりループコイル部９１１に電流が流れ、高周波磁場が発生する。このとき、この高周波コイル装置とは別に受信コイルが備えられている場合には、その受信コイルに備えられた送受信間磁気結合防止回路を作動し、受信コイルをオフとする。また高周波コイル装置が送信と受信とを兼ねる場合には、ループコイル部９１１への高周波信号の供給と送受信間磁気結合防止回路３５０（ＰＩＮダイオード３５１）への駆動信号３５２の送信とを同期することで、送受切替を行うことができる。
【００８４】
アレイコイル（サブコイル９２０）における各回路素子の構成とその調整も、基本的に第一の実施形態のアレイコイル（コイルユニット）４１０と同様である。調整は、ループコイル部９１１のループ９２１に直列に挿入される直列キャパシタ９２２と、並列に挿入される並列キャパシタ９２４と、磁気結合調整部９４１とにより行われる。
【００８５】
具体的には、並列キャパシタ９２４によって並列共振回路となる各サブコイル９１０の共振周波数を、ＭＲＩ装置の核磁気共鳴周波数と同じになるように回路素子の容量を調整する。また磁気結合調整部９２５と並列キャパシタ９２４からなる共振回路が、低インピーダンス信号処理回路９３０から見たときに核磁気共鳴信号の周波数で直列共振するように調整する。この共振回路は、並列キャパシタ９２４の両端から見たとき並列共振回路となっており、アレイコイル９１０を被検体２０に密着するほど、並列キャパシタ９２４の容量が小さくなるため、前傾の式（１）により並列キャパシタ９２４の両端のインピーダンス（ブロックインピーダンス）は大きくなり、サブコイル同士の磁気結合が防止される。
【００８６】
以上のように、本実施形態の送信アレイコイル９００を構成する各サブコイル９１０は、所望の周波数（例えば、６４ＭＨｚ）で共振するため、効率良くＲＦを送信できる。同時に、様々な頭部形状に密着配置が可能なため、第一の実施形態と同様に感度が向上する。そのため、送信効率が向上し撮像に必要なパワーを低減できる。
【００８７】
また、複数のサブコイル９２０は互いに結合せず他のサブコイルとは異なる感度領域を有する。このため、マルチチャンネルとして機能する。
なお、本実施形態も、第一の実施形態同様、水平磁場方式のマグネットを備えるＭＲＩ装置、および、垂直磁場方式のマグネットを備えるＭＲＩ装置のいずれも適用可能である。
【符号の説明】
【００８８】
１０：ＭＲＩ装置、２０：検査対象（被検体）、４０：高周波コイル装置、６０：イヤマフ、１３０：ＲＦ送信コイル、１４０：ＲＦ受信コイル、３５０：送受磁気結合防止回路、４００：コイル本体、４１０：コイルユニット（アレイコイル）、４２０：サブコイル、４２４：並列キャパシタ（調整用素子）、４２５：磁気結合調整回路、４３０：低インピーダンス信号回路、４５０：送受磁気結合防止回路、４８０：筐体、４８１：視界窓、４８２：視界窓、５００：固定具、５１０：固定パネル、５２０：固定ベルト、５３０：支持具、５６０：あごバンド、９１０：コイルユニット、９２０：サブコイル、９２４：並列キャパシタ（調整用素子）、９３０：低インピーダンス信号回路。
【図１】
2020130221.tif 000003
【図２】
2020130221.tif 000004
【図３】
2020130221.tif 000005
【図４】
2020130221.tif 000006
【図５】
2020130221.tif 000007
【図６】
2020130221.tif 000008
【図７】
2020130221.tif 000009
【図８】
2020130221.tif 000010
【図９】
2020130221.tif 000011
【図１０】
2020130221.tif 000012
【図１１】
2020130221.tif 000013
【図１２】
2020130221.tif 000014